(57)【要約】      （修正有）【課題】広告媒体変更時に、常に、相対位置になるようパネル内のリーダライタおよびアンテナ部を上下左右に可動し所定の位置で固定できる広告や告知物等のパネルを提供する。【解決手段】ライトパネルの照明部（エッジライト方式の導光板およびＥＬシートを利用した照明部）とパネル底板４と照明部間に任意の隙間を設け、この隙間にリーダライタまたはＲＦＩＤタグ１裏面に連結用面ファスナーを貼り付け、広告物８を差し替え時、広告物８にアクセスポイントの変更があればリーダライタおよびＲＦＩＤタグ１を底板４および光反射板２に貼り付けられた連結用面ファスナーから連結を切り旧位置から新位置へ自由に移動でき良好な通信状態を確保し、また広告物制作上でアクセスポイントを自由に設けることができるなど、デザイン制約の解消が図られる。【選択図】図−１
0003143966.tif 000002
【実用新案登録請求の範囲】
【請求項１】
ＲＦＩＤタグ内蔵の携帯型情報端末等との情報の読み出し、書き込みを行うリーダライタ１またはＲＦＩＤタグの裏面、および照明部３の光反射板２各々に連結用面ファスナーあるいは連結帯を装着した、１個もしくは複数個のリーダライタ１またはＲＦＩＤタグが脱着可能なパネル。
【請求項２】
底板４および請求項１記載のリーダライタ１に連結用面ファスナーあるいは連結帯を装着した、１個もしくは複数個のリーダライタ１またはＲＦＩＤタグが脱着可能なパネル。
【考案の詳細な説明】
【技術分野】
【０００１】  本考案は、広告媒体や告知物等から視覚的な情報取得と、広告媒体や告知物等に連動したデジタルコンテンツからの情報取得において、広告媒体や告知物の制作毎に異なる位置に付けられたデジタルコンテンツ情報の読み出しまたは書き込み目印（ＲＦＩＤタグ内蔵の携帯型情報端末等と、非接触でリーダライタとの間で通信ができる通信目印）と、広告媒体変更時、常に、相対位置になるようパネル内のリーダライタおよびアンテナ部を上下左右に可動し所定の位置で固定できる広告や告知物等のパネル。特に、照明部をＬＥＤ、冷陰極管またはＥＬを設けたライトパネルの構造に関する。
【背景技術】
【０００２】  従来は、広告物には、広告内容に関する情報を提供しているウェブサイトのＵＲＬやＵＲＬなどを情報として保持する２次元コードが印刷されている。しかしながら、ＵＲＬは一般的に小さな文字で記載されているために無視されがちであり、また、広告媒体に記載されたＵＲＬを覚えたり書き写したりしておき、後でパソコン等に入力してアクセスするか、或いはその場で携帯型情報端末等に入力してアクセスしなければならず、その面倒さの故に利用されていないのが実状である、また２次元コードはバーコード読み取り機能付き携帯型情報端末等のアプリケーションを起動して２次元コードを読み取らなくてはならず面倒である。【０００３】  これに対し、近年は広告物、特に、ポスター背面にリーダライタを設け、携帯型情報端末等に内蔵されたＲＦＩＤタグ利用の情報の読み出しまたは書き込みを非接触でおこなうことができる電波ポスター（特許文献１）をはじめ、ユビキタスポスター、インタラクティブポスター、ＦｅｌｉＣａポスター（特許文献２）などが発表されている。また広告パネルにもＬＥＤ（Ｌｉｇｈｔ  Ｅｍｉｔｔｉｎｇ  Ｄｉｏｄｅ）またはＥＬ（エレクトロルミネセンス）光源とする照明付き広告パネルが市販されているが、前記広告物上のアクセスポイント（ＲＦＩＤタグ内蔵の携帯型情報端末等と、非接触でリーダライタとの間で通信ができる通信できる状態）は固定で、広告物上のアクセスポイントが制作変更されると非通信状態になっていた。
【特許文献１】特許公開２００２−１８５５６５号
【特許文献２】特許公開２００６−３１５３１号
【考案の開示】
【考案が解決しようとする課題】
【０００４】  背景技術に示すように、リーダライタ利用のポスター等広告物への使用に関しては、いくつもの記載があるが、リーダライタを可動して固定できるリーダライタつき広告パネルについては、詳細な記述がない。【０００５】  ＲＦＩＤタグを内蔵した携帯型情報端末等およびカードを利用し、広告物上に任意のアクセスポイントを設け、携帯型情報端末等で軽くタッチして広告物背面に取り付けられたリーダライタと、ＲＦＩＤタグ間で情報の読み出しまたは書き込みを非接触で通信をおこない、携帯型情報端末等がリーダライタからＩＤ（ＵＲＬ）を受け取り、該ＩＤを基に所定のデジタルコンテンツへ接続し情報の読み出しまたは書き込みをスムーズに行うには、携帯型情報端末等に内蔵されたＲＦＩＤタグと、広告物上に設けられた携帯型情報端末等とアクセスするアクセスポイントと、広告物背面に取り付けられたリーダライタの位置が一致していないとスムーズに通信できない、これは広告物背面に取り付けられたリーダライタの位置が広告物背面に取り付けられるため、広告物表面から目視できず広告物上に設けられたアクセスポイントが唯一の目印で、この目印の背面にリーダライタおよびリーダライタのアンテナ部が正確に取り付けられることが条件となる。【０００６】  しかし、広告物を制作する上でアクセスさせ情報を取得させたい位置は一定でなく、例えば、よく駅で見かけける地図等を利用した地域案内ポスターにおいて、地図上に記された動物園等の情報を取得させたい場合、この地図上で動物園の位置がおのずと固定される。ここでは動物園が広告物上のアクセスポイントとなり、ＲＦＩＤタグを内蔵した携帯型情報端末等からのアクセス位置でもある。しいては、このアクセスポイントの背面には必ずリーダライタがつけられていることが条件となる。【０００７】  しかしながら、ポスターを別のコンサートホールを案内する広告物へ差し替えた場合、おのずとポスターのデザインも変更されアクセスポイントも変更される。前回の動物園を案内する広告物上のアクセスポイントが上部に設けられ、動物園を案内する広告物のアクセスポイントと相対位置にリーダライタおよびリーダライタのアンテナ部を固定したが、今回のコンサートホールを案内するアクセスポイントは下部にあると以前上部に固定したリーダライタおよびリーダライタのアンテナ部を下部へと移動しないと、広告物上のコンサートホールをアクセスポイントに定めてもＲＦＩＤタグとリーダライタおよびリーダライタのアンテナ部が一致せず非通信状態となる、これは元来の広告物上からの情報取得と、携帯型情報端末等から所定のデジタルコンテンツ情報の読み出しまたは書き込みを非接触おこなうなどの目的を大きく損なう。
【課題を解決するための手段】
【０００８】  ライトパネルの照明部（エッジライト方式の導光板およびＥＬシートを利用した照明部）とパネル底板と照明部間に任意の隙間を設け、この隙間にリーダライタまたはＲＦＩＤタグ裏面に連結用面ファスナー（マジックテープ等）を貼り付け、広告物を差し替え時、広告物にアクセスポイントの変更があればリーダライタおよびＲＦＩＤタグを底板および光反射板に貼り付けられた連結用面ファスナー（マジックテープ等）から連結を切り、旧位置から新位置へ自由に移動でき良好な通信状態を確保し、また広告物制作上でアクセスポイントを自由に設けることができるなど、デザイン制約の解消が図られる。
【考案の効果】
【００００９】  本考案によれば、広告物制作者は、広告媒体のアクセスポントを自由に設けることができ、パネルから広告物を差し替える作業者は広告媒体のアクセスポントを目視で確認をおこない、アクセスポントに合わせて簡単にリーダライタを可動調整することにより良好な通信状態が確保できる。広告物利用者は、通常の広告物（照明なし広告）より照明効果ある広告物を発見し、なおＲＦＩＤタグ内蔵の携帯型情報端末等を利用して、非接触で簡単にデジタルコンテンツを活用してのサービスが利用できるなど多くの効果がある。
【考案を実施するための最良の形態】
【０００１０】以下、本考案の実施例の形態を、添付図を参照して説明する。
【実施例１】
【０００１１】  図−１は、ライトパネル内部の相関斜視図である。リーダライタおよびＲＦＩＤタグ１の裏面に連結用面ファスナー（マジックテープ等）が貼り付けられている、また導光板３の背面にある光反射板２にも連結用面ファスナー（マジックテープ等）が貼り付けられている。リーダライタおよびＲＦＩＤタグ１は、光反射板２へ連結用面ファスナー（マジックテープなど）などでお互いが連結されている。【０００１２】  また底板４にも連結用面ファスナー（マジックテープ等）が貼り付けられていてもよい。リーダライタおよびＲＦＩＤタグ１は、底板４へ連結用面ファスナー（マジックテープ等）などでお互いが連結されてもよい。【０００１３】  広告物８にはデザイン毎にアクセスポイント（ＲＦＩＤタグ内蔵の携帯型情報端末等と、非接触でリーダライタとの間で通信ができる通信目印）が付けられている。前記アクセスポイントはデザイン毎に異なりデザインに合わせてリーダライタおよびＲＦＩＤタグ１を変更する必要がある（リーダライタのアンテナ位置と広告物のアクセスポイントがずれると通信不可となり目的を達しえない）。【０００１４】  連結用面ファスナー（マジックテープ等）などでリーダライタおよびＲＦＩＤタグ１を広告物のアクセスポイントに応じて脱着して簡単にリーダライタのアンテナ位置と広告物のアクセスポイントに合わせることができる。【０００１５】  図−１では、ＬＥＤ（Ｌｉｇｈｔ  Ｅｍｉｔｔｉｏｎｇ  Ｄｉｏｄｅ）エッジライト方式で導光板３へ光源６から照射させ導光板３で光を拡散し均一光で広告物８にバックライト照射しているが、ＥＬ（エレクトロルミネセンス）シートなどを照明部としてもよい。また、照明部がなくてもよい。
【図面の簡単な説明】
【０００１６】
【図−１】  ライトパネル内部の相関斜視図である。
【符号の説明】
【０００１７】  １．リーダライタおよびＲＦＩＤタグ、２．光反射板、３．ＬＥＤ導光板、４．底板、５．ＬＥＤライトユニット、６．ＬＥＤ、７．拡散板、８．広告物
【図−１】
0003143966.tif 000003
【手続補正書】
【提出日】平成20年5月9日(2008.5.9)
【手続補正１】
【補正対象書類名】実用新案登録請求の範囲
【補正対象項目名】全文
【補正方法】変更
【補正の内容】
【実用新案登録請求の範囲】
【請求項１】
ＲＦＩＤタグ内蔵の携帯型情報端末等との情報の読み出し、書き込みを行うリーダライタ１またはＲＦＩＤタグの裏面、および照明部３の光反射板２各々に連結用面ファスナーあるいは連結帯を装着した、１個もしくは複数個のリーダライタ１またはＲＦＩＤタグが脱着可能なパネル。
【請求項２】
ＲＦＩＤタグ内蔵の携帯型情報端末等との情報の読み出し書き込みを行うリーダライタ１またはＲＦＩＤタグの裏面、および底板４、各々に連結用面ファスナーあるいは連結帯を装着した、１個もしくは複数個のリーダライタ１またはＲＦＩＤタグが脱着可能なパネル。